(57)【特許請求の範囲】
【請求項１】
レンズ体を保持可能な筒状のレンズ保持部材と、一部が前記レンズ保持部材に固定され前記レンズ保持部材を光軸方向に移動可能に支持する板バネと、前記レンズ保持部材を光軸方向に沿って移動させる少なくとも磁石及びコイルを有して構成される駆動機構とを備え、
前記レンズ保持部材には、第１角部を含む複数の角部を有する角柱状の突出部が光軸方向に沿って突出して設けられ、前記コイルは、前記レンズ保持部材の外周に導電性の線材が巻かれて形成されたコイル本体部と、前記突出部に前記線材が巻き付けられた巻回部と、前記コイル本体部と前記巻回部との間に位置する引き回し部と、を有し、前記板バネは、前記巻回部に隣り合って位置する接合部を有し、前記巻回部と前記板バネの接合部とが接合材で接合されたレンズ駆動装置において、
前記レンズ保持部材には、台座部が設けられ、前記台座部の周面の一部が、前記引き回し部の前記線材を案内する案内部であり、前記突出部は、前記台座部上に設けられており、
前記引き回し部から前記巻回部へ至る前記線材は、前記案内部で前記突出部方向へ向きを変えられた後に前記突出部に巻き付けられて前記巻回部となっており、前記巻回部では、前記突出部の一側面に当接した後、最初に前記第１角部で向きを変えられ、順次他の角部で向きを変えられるものであって、前記第１角部は、前記他の角部よりも大きな円弧形状を有しており、前記案内部は、前記第１角部よりも大きな円弧形状を有している、
ことを特徴とするレンズ駆動装置。
【請求項２】
前記光軸方向から見た平面視で、前記台座部の上面は、前記一側面以外の前記突出部の側面を取り囲むものであり、前記一側面および前記案内部に隣接して前記上面から連続する傾斜面が設けられ、該傾斜面が、前記一側面から前記案内部に向けて、前記突出部から遠ざかるように延在するものである、
ことを特徴とする請求項１に記載のレンズ駆動装置。
【請求項３】
前記突出部は、略四角柱状をなしており、前記巻回部の一部は、前記第１角部と前記案内部との間に位置する前記線材と前記突出部を挟んで対向して位置すると共に、直線状に前記突出部に保持されており、当該部分の線材が、前記板バネと接合されている、
ことを特徴とする請求項１又は請求項２に記載のレンズ駆動装置。
【発明の詳細な説明】
【技術分野】
【０００１】
本発明は、レンズ駆動装置に関し、特に、コイルの端部が板バネに半田等で接続されるレンズ駆動装置に関する。
【背景技術】
【０００２】
携帯電話機やスマートフォン等の携帯型電子機器にはカメラ機能を備えた製品がある。これらの機器で撮影に用いられるレンズは、ＶＣＭ（Ｖｏｉｃｅ  Ｃｏｉｌ  Ｍｏｔｏｒ：ボイスコイルモータ）を用いたレンズ駆動装置によって駆動される。レンズ駆動装置においては、レンズ体を保持可能なレンズ保持部材が備えられていると共に、レンズ保持部材を光軸方向に沿って移動させる駆動機構、及びレンズ保持部材を光軸方向に移動可能に支持する付勢部材が備えられている。当該駆動機構内にはコイルが設けられており、また、付勢部材としては板バネが用いられる。そして、コイルは、その端部が板バネに半田付けされるように構成されている。
【０００３】
このようなコイルの端部が板バネに半田付けされるレンズ駆動装置として、特許文献１に記載のレンズ駆動装置が知られている。以下、図９を用いて、特許文献１に記載のレンズ駆動装置９００について説明する。
【０００４】
レンズ駆動装置９００は、レンズ保持部材９０１と、レンズ保持部材９０１を移動可能に支持する板バネ９０２と、板バネ９０２が固定される支持部材と、レンズ保持部材９０１を光軸方向に沿って移動させる少なくとも磁石及びコイル９０５で構成される移動機構と、を備えている。レンズ保持部材９０１の下部（Ｚ２側）には、板バネ９０２よりも下方（Ｚ２方向）に突出した突出部９０１ａが設けられ、コイル９０５の端部９０５ｂは突出部９０１ａに巻かれており、板バネ９０２には接合部９０２ａが設けられ、コイル９０５の端部９０５ｂと接合部９０２ａとが半田付けされる。突出部９０１ａに巻かれたコイル９０５の端部９０５ｂと接合部９０２ａとの離間距離は、突出部９０１ａの根元部側よりも突出部９０１ａの先端側において大きくなる構成としている。
【０００５】
このような構成によって、レンズ駆動装置９００は、コイル９０５の端部９０５ｂを確実に板バネ９０２と半田付けすることができると共に、板バネ９０２のレンズ保持部材９０１への取り付け時に、両者が当接することを防止できる、という効果を奏する。
【先行技術文献】
【特許文献】
【０００６】
【特許文献１】特開２０１５−０９９３２２号公報
【発明の概要】
【発明が解決しようとする課題】
【０００７】
レンズ駆動装置９００では、レンズ保持部材９０１に設けられた突出部９０１ａにコイル９０５の線材が巻かれている。しかしながら、突出部９０１ａは、複数の角部を有する角柱状に形成されているため、落下等で不所望に強い衝撃が加えられた場合に、角部においてコイル９０５の線材が断線する可能性があった。特に、コイル９０５の線材の巻き始めとなる角部におけるコイル９０５の線材が、落下等の強い衝撃が加えられると断線する可能性が相対的に高くなっていた。
【０００８】
本発明はこのような従来技術の実情に鑑みてなされたもので、レンズ駆動装置本体に強い衝撃が加えられた場合でも、コイルの線材が断線しにくいレンズ駆動装置を提供する。
【課題を解決するための手段】
【０００９】
上記課題を解決するために本発明のレンズ駆動装置は、レンズ体を保持可能な筒状のレンズ保持部材と、一部が前記レンズ保持部材に固定され前記レンズ保持部材を光軸方向に移動可能に支持する板バネと、前記レンズ保持部材を光軸方向に沿って移動させる少なくとも磁石及びコイルを有して構成される駆動機構とを備え、前記レンズ保持部材には、第１角部を含む複数の角部を有する角柱状の突出部が光軸方向に沿って突出して設けられ、前記コイルは、前記レンズ保持部材の外周に導電性の線材が巻かれて形成されたコイル本体部と、前記突出部に前記線材が巻き付けられた巻回部と、前記コイル本体部と前記巻回部との間に位置する引き回し部と、を有し、前記板バネは、前記巻回部に隣り合って位置する接合部を有し、前記巻回部と前記板バネの接合部とが接合材で接合されたレンズ駆動装置において、前記レンズ保持部材には、台座部が設けられ、前記台座部の周面の一部が、前記引き回し部の前記線材を案内する案内部であり、前記突出部は、前記台座部上に設けられており、前記引き回し部から前記巻回部へ至る前記線材は、前記案内部で前記突出部方向へ向きを変えられた後に前記突出部に巻き付けられて前記巻回部となっており、前記巻回部では、前記突出部の一側面に当接した後、最初に前記第１角部で向きを変えられ、順次他の角部で向きを変えられるものであって、前記第１角部は、前記他の角部よりも大きな円弧形状を有しており、前記案内部は、前記第１角部よりも大きな円弧形状を有している、という特徴を有する。
【００１０】
このように構成されたレンズ駆動装置は、引き回し部から延在する巻回部の線材が最初に接する突出部の第１角部が緩やかな円弧形状の曲面部を有するので、落下等で大きな衝撃が加えられた場合でも、この第１角部で線材が切断されにくいものとすることができる。
【００１２】
また、線材が第１角部の曲面部よりも大きな円弧形状を有する案内部を介して第１角部へと案内されると共に、第１角部は、突出部の他の角部よりも緩やかな円弧形状の曲面部を有しているので、コイル本体部から巻回部へと、線材が徐々に曲率を変化させて導かれるものとなり、線材にストレスが加わりにくく、線材をより断線しにくくすることができる。
【００１４】
また、突出部と案内部とが連続するように隣接しているので、線材が突出部と案内部との間で断線することを防ぐことができる。
【００１６】
また、突出部が台座部上に設けられているので、線材を突出部の根元部から巻き付けて巻回部を形成させやすい。
【００１７】
また、上記の構成において、前記突出部は、略四角柱状をなしており、前記巻回部の一部は、前記第１角部と前記案内部との間に位置する前記線材と前記突出部を挟んで対向して位置すると共に、直線状に前記突出部に保持されており、当該部分の線材が、前記板バネと接合されている、という特徴を有する。
【００１８】
このように構成されたレンズ駆動装置は、突出部が略四角柱状をなしているので、第１角部に大きな円弧形状を有する曲面部があっても、他の角部で線材を突出部に適切に保持できる。また、第１角部とは異なる２つの角部間に位置する直線状の巻回部が板バネと接合されるので、半田等の接合材による接合も良好に行われる。
【発明の効果】
【００１９】
本発明のレンズ駆動装置は、引き回し部から延在する巻回部の線材が最初に接する突出部の第１角部が緩やかな円弧形状の曲面部を有するので、落下等で大きな衝撃が加えられた場合でも、この第１角部で線材が切断されにくいものとすることができる。
【図面の簡単な説明】
【００２０】
【図１】本発明の実施形態におけるレンズ駆動装置を構成する各部材を示す分解斜視図である。
【図２】レンズ駆動装置の外観を示す斜視図である。
【図３】ヨーク及びカバーを除いた状態のレンズ駆動装置の外観を示す斜視図である。
【図４】コイルと板バネとが取り付けられたレンズ保持部材の斜視図である。
【図５】レンズ保持部材の拡大斜視図である。
【図６】コイルの線材が巻回されたレンズ保持部材の拡大斜視図である。
【図７】コイルと板バネとが半田付けされたレンズ保持部材の拡大側面図である。
【図８】コイルと板バネとが半田付けされたレンズ保持部材の拡大斜視図である。
【図９】従来例に係る、コイルが巻回されたレンズ保持部材を示す側面図である。
【発明を実施するための形態】
【００２１】
［実施形態］
以下、本発明の実施形態について図面を参照しながら説明する。本実施形態に係るレンズ駆動装置１００は、例えば、携帯電話機やスマートフォン等の携帯型電子機器に内蔵されたカメラに使用されるＶＣＭとして用いられるものである。本実施の形態に係るレンズ駆動装置１００の用途については、これらに限定されるものではなく適宜変更が可能である。
【００２２】
最初に、図１乃至図４を参照して、レンズ駆動装置１００の全体構成について説明する。図１は、レンズ駆動装置１００を構成する各部材を示す分解斜視図であり、図２は、レンズ駆動装置１００の外観を示す斜視図である。また、図３は、ヨーク５６及びカバー６０を除いた状態のレンズ駆動装置１００の外観を示す斜視図であり、図４は、コイル１０と板バネ３０とが取り付けられた状態のレンズ保持部材２０の斜視図である。尚、図４は、図２及び図３とは逆に、＋Ｚ方向を図面の下側にして描いている。
【００２３】
図１に示すように、レンズ駆動装置１００は、合成樹脂材から成るベース部材４０と、ベース部材４０の上側に配置されるレンズ保持部材２０と、レンズ保持部材２０を光軸方向Ｌ１（Ｚ方向）へ移動可能に支持する板バネ３０及び上側板バネ３３と、ヨーク５６、複数の磁石５４及びコイル１０を有し、レンズ保持部材２０を光軸方向Ｌ１に沿って移動させる駆動機構５０と、ベース部材４０に設けられた金属板部材４５と、カバー６０と、を備えている。
【００２４】
図２に示すように、レンズ駆動装置１００は、略直方体形状に形成され、中央部にはＺ方向に貫通した大きな開口が形成されている。外部部品であるレンズ体は、レンズ保持部材２０によって保持可能であり、駆動機構５０によって光軸方向Ｌ１（Ｚ方向）に駆動可能となっている。レンズ駆動装置１００では、合成樹脂材から成るカバー６０が、上側板バネ３３を保護するために取り付けられている。
【００２５】
駆動機構５０の一部を構成しているヨーク５６は金属板材からなり、図２に示すように、Ｚ方向を開放した平面視で矩形状に形成されている。ヨーク５６は、中央に開口が形成された天面５６ａを有し、天面５６ａの外周から連続してヨーク５６の側面を形成する環状の外壁部５６ｂと、天面５６ａの開口から連続して外壁部５６ｂの内側に外壁部５６ｂの角の部分と対向した４つの内壁部５６ｃ（図１参照）と、を有する。
【００２６】
レンズ保持部材２０は合成樹脂材から成り、図３に示すように、略筒状に形成されている。レンズ保持部材２０は、図４に示すように、Ｚ方向に延出して筒状に形成された筒状部２６を有し、筒状部２６の光軸方向Ｌ１における一端部には、筒状部２６の径方向へ延出して形成された鍔部２４が設けられている。また、筒状部２６の内側は、外部部品であるレンズ体を保持可能で円筒状に形成されたレンズ保持部２５となっている。レンズ保持部２５には、レンズ体を装着可能なネジ溝２５ａがレンズ保持部２５の内周面に沿って形成されている。
【００２７】
コイル１０は、導電性の線材１９から成り、図４に示すように、レンズ保持部材２０の周囲に平面視略八角形の環状に巻かれ、束ねて形成されており、駆動機構５０の一部を構成している。コイル１０に電流を流すことによって、図２に示した駆動機構５０を駆動させ、レンズ体を保持したレンズ保持部材２０を光軸方向Ｌ１へ移動させることができる。尚、コイル１０の構成については後に詳細説明を行う。
【００２８】
磁石５４は、図３に示すように、平面視で略台形の形状をなす柱状に形成されている。本実施形態においては磁石５４を４個用いており、４個の磁石５４は、図２に示したヨーク５６の外壁部５６ｂの角の部分に接着剤でそれぞれ取り付けられている。尚、磁石５４は、略台形の短辺側の面と長辺側の面（厳密には円弧面）とに直交する直線の方向に着磁されている。
【００２９】
板バネ３０及び上側板バネ３３は、導電性を有する金属薄板から成ると共に、板バネ３０と上側板バネ３３とは、図３に示すように、レンズ保持部材２０を挟んで、向かい合わせに配置されている。尚、板バネ３０と上側板バネ３３とは絶縁されている。
【００３０】
板バネ３０は、下側（−Ｚ側）の板バネを構成するものであり、図４に示すように、２枚の板バネ部３１によって形成される。２枚の板バネ部３１は、それぞれ平面視で円弧状に形成された内側部分３１ａと、板バネ３０の外周を形成する外側部分３１ｂとが、ミアンダ形状をした２つの細い金属板のバネ部分３１ｃによって接続されて形成される。板バネ３０は、２枚の板バネ部３１が互いに向かい合って配置され、当該２枚の板バネ部３１が一対となり、平面視で中央に開口を有した略正方形形状に形成されている。２枚の板バネ部３１は、それぞれ半田によって前述したコイル１０に接続される。その結果、２枚の板バネ部３１がコイル１０を介して電気的に接続される。
【００３１】
また、上側板バネ３３は、図３に示すように、平面視で略円形状に形成された内側部分３３ａと、上側板バネ３３の外周を形成する略正方形形状の外側部分３３ｂとが、ミアンダ形状をした４つの細い金属板のバネ部分３３ｃによって接続されて、平面視で中央に開口を有した略正方形形状に形成されている。
【００３２】
板バネ３０は、組み合わされて円形状の開口を形成する２つの内側部分３１ａが、図４に示すように、レンズ保持部材２０に複数個所設けられた取付け部２９にそれぞれ取り付けられる。また、組み合わされて略正方形形状の外周を形成する２つの外側部分３１ｂが、図３に示すように、ベース部材４０に複数個所設けられた取付け部４９に取り付けられる。同様に、上側板バネ３３も、開口を形成する内側部分３３ａがレンズ保持部材２０に接着剤で取り付けられ、略正方形形状の外周を形成する外側部分３３ｂがカバー６０の下面から突出する取付け部（図示せず）によって、ヨーク５６の天面５６aと共に取り付けられる。
【００３３】
このような構成によって、板バネ３０の開口を形成する２枚の板バネ部３１の内側部分３１ａが、略正方形形状の外周を形成する２枚の板バネ部３１の外側部分３１ｂに対してＺ方向に移動可能な構造となる。上側板バネ３３についても同様である。言い換えれば、レンズ体を保持したレンズ保持部材２０が、レンズ駆動装置１００を内蔵した携帯型電子機器に固定されたベース部材４０及びカバー６０に対して光軸方向Ｌ１（Ｚ方向）に移動可能な構造となる。その結果、コイル１０に電流を流して駆動機構５０を動作させることにより、レンズ体を保持したレンズ保持部材２０に光軸方向Ｌ１への推力を発生させることができる。
【００３４】
ベース部材４０には、金属板部材４５が埋設されている。金属板部材４５は、図３に示すように、その一部がベース部材４０の底面から露出している。金属板部材４５は複数の部材で構成されており、そのうちの１つの部材が、前述した板バネ３０の一方の板バネ部３１に接続され、他の１つの部材が板バネ３０の他方の板バネ部３１に接続されている。２枚の板バネ部３１にそれぞれ接続された金属板部材４５の各部材は、レンズ駆動装置１００が内蔵されている携帯電話機やスマートフォン等の携帯型電子機器本体に接続され、２枚の板バネ部３１間に携帯型電子機器本体からのレンズ駆動用の電圧が印加されて、コイル１０に電流を流すように構成されている。
【００３５】
次に、図４乃至図８を参照して、レンズ保持部材２０の構造、コイル１０の線材１９の突出部２１への巻回の仕方、及びレンズ保持部材２０上におけるコイル１０と板バネ３０との接合について説明する。図５は、レンズ保持部材２０の拡大斜視図であり、図６は、コイル１０の線材１９が巻回された状態のレンズ保持部材２０の拡大斜視図である。また、図７は、コイル１０と板バネ３０とが半田付けされた状態を模式的に示すレンズ保持部材２０の拡大側面図であり、図８は、コイル１０と板バネ３０とが半田付けされた状態のレンズ保持部材２０の拡大斜視図である。尚、図５乃至図８も、図４と同様に、＋Ｚ方向を図面の下側にして描いている。
【００３６】
レンズ保持部材２０の鍔部２４には、図４に示すように、光軸方向Ｌ１（Ｚ方向）に沿って突出する突出部２１が２箇所設けられており、２箇所の突出部２１にコイル１０を形成している線材１９がそれぞれ巻かれている。２箇所の突出部２１にコイル１０の線材１９がそれぞれ巻かれることにより、コイル１０の両方の端部をレンズ保持部材２０に保持させることができる。２箇所の突出部２１のうち、図４における−Ｘ側の突出部２１の位置がコイル１０における巻き始め側であり、＋Ｘ側の突出部２１の位置が巻き終わり側である。尚、今後説明する図５乃至図８では、コイル１０における巻き終わり側を表示している。
【００３７】
コイル１０は、図４に示すように、レンズ保持部材２０の外周に線材１９が巻かれて形成されたコイル本体部１１と、突出部２１に線材１９が螺旋状に巻き付けられた巻回部１３と、コイル本体部１１と巻回部１３との間に位置する引き回し部１５とを有している。
【００３８】
レンズ保持部材２０には、図５に示すように、鍔部２４より−Z方向に一段高く形成された平面視略矩形状の台座部２７が設けられていると共に、突出部２１は、当該台座部２７上に設けられている。突出部２１は、光軸方向Ｌ１に沿って角柱状に突出して設けられている。即ち、突出部２１は、台座部２７上の根元部２１ｂから図５における上方向（−Z方向）に伸び、上端が平坦な面を有する先端部２１ａとなっていて、＋Ｙ側に位置する一側面２１ｃを含む４つの側面を有し、略四角柱状をなして形成されている。
【００３９】
突出部２１は、２つの内側角部２２ａと２つの外側角部２２ｂとから成る複数（本実施形態では４つ）の角部２２を有しており、２つの内側角部２２ａのうちの一方が第１角部２３を構成している。
【００４０】
第１角部２３は、図６に示すように、複数（４つ）の角部２２のうちコイル１０の引き回し部１５から延在する巻回部１３の線材１９が最初に当接する角部であると共に、図５及び図６に示すように、他の角部２２よりも緩やかな円弧形状の曲面部２３ａを有している。
【００４１】
また、突出部２１より外側（外周側）には、線材１９が当接可能で第１角部２３の曲面部２３ａの円弧形状よりも大きな円弧形状を有すると共に  引き回し部１５の線材１９を突出部２１側に案内する案内部２８が設けられており、線材１９はこの案内部２８に沿って第１角部２３へ延在している。突出部２１は、図５に示すように、当該突出部２１の一側面２１ｃと上述した案内部２８とが連続するように、案内部２８に隣接して設けられている。
【００４２】
案内部２８は、台座部２７の周面の一部で構成されていて、台座部２７の＋Ｘ側の端部から第１角部２３の方向に向かって−Z方向に上がっていく傾斜面２８ａがその横に形成されている。従って、引き回し部１５の線材１９は、図６に示すように、案内部２８と傾斜面２８ａとに当接しながら第１角部２３へ延在している。
【００４３】
コイル１０は、図６に示すように、引き回し部１５の線材１９が案内部２８から第１角部２３へ延在した後、一方の内側角部２２ａである第１角部２３の曲面部２３ａに沿って曲げられ、次に他方の内側角部２２ａ及び２箇所の外側角部２２ｂを介して巻回される。線材１９が突出部２１に複数回巻回され、巻回部１３を形成する。
【００４４】
引き回し部１５から延在する巻回部１３の線材１９が最初に接する突出部２１の第１角部２３が緩やかな円弧形状の曲面部２３ａを有するので、落下等で大きな衝撃が加えられた場合でも、この第１角部２３で線材１９が切断されにくくなる。一方、突出部２１の第１角部２３以外の内側角部２２ａ及び２箇所の外側角部２２ｂにおいては、線材１９を確実に保持することができる。
【００４５】
図７に示すように、板バネ３０は、−Ｚ側に外側部分３１ｂが位置し、＋Ｚ側に内側部分３１ａが位置すると共に、外側部分３１ｂが突出部２１より外側（図７における手前側）に位置し、内側部分３１ａが突出部２１の内側及び横に位置している。また、内側部分３１ａの＋Ｚ側が板バネ３０の一面３０ａとなっており、内側部分３１ａの−Ｚ側が板バネ３０の他面３０ｂとなっている。
【００４６】
また、板バネ３０は、板バネ３０の一面３０ａが、レンズ保持部材２０の鍔部２４と平行に対向して、側面視で所定の間隔を有して設けられている。そして、前述した突出部２１は、前述したように、レンズ保持部材２０の台座部２７から板バネ３０の他面３０ｂ側へ突出して設けられている。更に、突出部２１の先端部２１ａは、コイル１０の巻回部１３を形成する線材１９の端部よりも−Ｚ方向に突き出ている。
【００４７】
板バネ３０は、内側部分３１ａに接合部３０ｃを有しており、巻回部１３の線材１９と板バネ３０の接合部３０ｃとが接合材７１で接合される。接合部３０ｃは、板バネ３０の他面３０ｂ側における突出部２１と隣り合う部分に設けられている。接合材７１としては、半田が用いられる。尚、本実施形態では、接合材７１として半田を用いているが、接合材７１として導電性接着剤を用いても良い。
【００４８】
図８に示すように、コイル１０の巻回部１３の一部は、突出部２１の第１角部２３と突出部２１に隣接する案内部２８との間に位置する線材１９と突出部２１を挟んで対向して位置すると共に、直線状に突出部２１に保持されており、当該部分の線材１９が、板バネ３０と接合されている。この線材１９は、第１角部２３とは異なる内側角部２２ａと、この内側角部２２ａの隣の外側角部２２ｂから成る２つの角部２２の間に巻かれた線材１９である。このように、巻回部１３の内側角部２２ａと、その隣の外側角部２２ｂと、から成る２つの角部２２の間の直線状の巻回部１３の部分が板バネ３０と接合されるので、接合が良好に行われる。
【００４９】
コイル１０の、コイル本体部１１及び引き回し部１５側に位置する部分の線材１９には絶縁皮膜が施されているが、半田付けが施される巻回部１３の線材１９には絶縁皮膜が施されていない。そのため、コイル１０の巻回部１３の線材１９と板バネ３０の接合部３０ｃとの間の半田付けが可能となる。尚、半田付けを施す前に、絶縁皮膜が施されている巻回部１３の線材１９に予備半田を施して、半田付けされ易いようにしておいても良い。
【００５０】
尚、本実施形態では、コイル１０の巻き終わり側の突出部２１における巻回部１３について説明しているが、コイル１０の巻き始め側の突出部２１における巻回部１３にも適用するようにしても良い。
【００５１】
以下、本実施形態としたことによる効果について説明する。
【００５２】
レンズ駆動装置１００は、引き回し部１５から延在する巻回部１３の線材１９が最初に接する突出部２１の第１角部２３が緩やかな円弧形状の曲面部２３ａを有するので、落下等で大きな衝撃が加えられた場合でも、この第１角部２３で線材１９が切断されにくいものとすることができる。
【００５３】
また、線材１９が第１角部２３の曲面部２３ａよりも大きな円弧形状を有する案内部２８を介して第１角部２３へと案内されるとともに、第１角部２３は、突出部２１の他の角部２２よりも緩やかな円弧形状の曲面部２３ａを有しているので、コイル本体部１１から巻回部１３へと、線材１９が徐々に曲率を変化させて導かれるものとなり、線材１９にストレスが加わりにくく、線材１９をより断線しにくくすることができる。
【００５４】
また、突出部２１と案内部２８とが連続するように隣接しているので、突出部２１と案内部２８との間で、線材１９が断線することを防ぐことができる。
【００５５】
また、突出部２１が台座部２７上に設けられているので、線材１９を突出部２１の根元部２１ｂから巻き付けて巻回部１３を形成させやすい。
【００５６】
また、突出部２１が略四角柱状をなしているので、第１角部２３に大きな円弧形状を有する曲面部２３ａがあっても、他の角部２２で線材１９を突出部２１に適切に保持できる。また、第１角部２３とは異なる２つの角部２２間に位置する直線状の巻回部１３が板バネ３０と接合されるので、半田等による接合も良好に行われる。
【００５７】
以上説明したように、本発明のレンズ駆動装置は、引き回し部から延在する巻回部の線材が最初に接する突出部の第１角部が緩やかな円弧形状の曲面部を有するので、落下等で大きな衝撃が加えられた場合でも、この第１角部で線材が切断されにくいものとすることができる。
【００５８】
本発明は上記の実施形態に限定されるものではなく、要旨を逸脱しない範囲で種々変更して実施することが可能である。例えば、上記の実施形態においては、レンズ駆動装置１００の−Ｚ側（下側）にある板バネ３０にコイル１０の端部が半田付けされる形態を示したが、それに限定されず、手振れ補正機能を備えたレンズ駆動装置のように、＋Ｚ側（上側）にある上側板バネにコイルの端部が半田付けされるような場合に本発明を適用しても良い。
【符号の説明】
【００５９】
１０        コイル
１１        コイル本体部
１３        巻回部
１５        引き回し部
１９        線材
２０        レンズ保持部材
２１        突出部
２１ａ      先端部
２１ｂ      根元部
２１ｃ      一側面
２２        角部
２２ａ      内側角部
２２ｂ      外側角部
２３        第１角部
２３ａ     曲面部
２４        鍔部
２５        レンズ保持部
２５ａ      ネジ溝
２６        筒状部
２７        台座部
２８        案内部
２８ａ      傾斜面
２９        取付け部
３０        板バネ
３０ａ      一面
３０ｂ      他面
３０ｃ      接合部
３１        板バネ部
３１ａ      内側部分
３１ｂ      外側部分
３１ｃ      バネ部分
３３        上側板バネ
３３ａ      内側部分
３３ｂ      外側部分
３３ｃ      バネ部分
４０        ベース部材
４５        金属板部材
４９        取付け部
５０        駆動機構
５４        磁石
５６        ヨーク
５６ａ      天面
５６ｂ      外壁部
５６ｃ      内壁部
６０        カバー
７１        接合材
１００      レンズ駆動装置
Ｌ１        光軸方向
【図１】
0006678071.tif 000002
【図２】
0006678071.tif 000003
【図３】
0006678071.tif 000004
【図４】
0006678071.tif 000005
【図５】
0006678071.tif 000006
【図６】
0006678071.tif 000007
【図７】
0006678071.tif 000008
【図８】
0006678071.tif 000009
【図９】
0006678071.tif 000010